(57)【要約】【課題】  磁石励磁回転電機に於いて，エネルギー効率の良い磁束分流制御回転電機システムを提供する。【解決手段】  磁性体突極延長部に界磁磁石を配置して界磁磁石の他端に主磁極及びバイパス磁極を相対偏倚可能に対向させ，界磁磁石からの磁束を電機子側を通る主磁路，及び電機子を通らないバイパス磁路に分流させて主磁路の磁束量を偏倚に応じて変える。界磁磁石からの界磁磁束総量を一定に保つように主磁路及びバイパス磁路の磁気抵抗を設定する最小磁気力条件として上記偏倚を妨げる磁気力を抑制或いは最小磁気力条件から外して現れる磁気力を利用して磁束量制御可能な回転電機システム，磁束量制御方法を提供している。【選択図】  図１
2009303361.tif 000002
【特許請求の範囲】
【請求項１】
電機子コイルを有する電機子と，電機子と対向して相対回転可能で且つ電機子と対向して周方向に配置された複数の磁性体突極を有する界磁部とを有する回転電機であって，界磁部には表面磁極部と分流磁極部とが配置され，表面磁極部は電機子との対向面に複数の磁性体突極が周方向に配置されると共に分流磁極部との対向面に磁性体突極延長部に接続された界磁磁石の磁極が配置され，分流磁極部は前記界磁磁石に対向して配置された主磁極及びバイパス磁極を有し，界磁磁石の一方の磁極から主磁極に流入した磁束が隣り合う磁性体突極，電機子を介して界磁磁石の他方の磁極に環流する主磁路と，界磁磁石の一方の磁極からバイパス磁極に流入した磁束が主として界磁部内で磁性体突極延長部を介して界磁磁石の他方の磁極に環流するバイパス磁路とが界磁磁石に並列に磁気的に接続され，表面磁極部或いは分流磁極部の何れかを可動磁極部として界磁磁石が主磁極と対向する面積及びバイパス磁極と対向する面積の和が一定に保たれながら前記それぞれの対向面積を変える事が出来るよう可動磁極部が残余に対して相対偏倚可能に構成され，回転電機システムの出力が最適化されるように前記出力に応じて可動磁極部が偏倚して電機子に流れる磁束量が制御される事を特徴とする回転電機システム
【請求項２】
請求項１記載の回転電機システムに於いて，バイパス磁路の磁気抵抗をバイパス磁路内に含まれる直列界磁磁石の数で除した値及び主磁路の磁気抵抗を主磁路内に含まれる直列界磁磁石の数で除した値が互いにほぼ等しいとする最小磁気力条件に設定されている事を特徴とする回転電機システム
【請求項３】
請求項１記載の回転電機システムに於いて，界磁磁石から磁性体突極に至る磁路は等方性の磁性体を含んで構成される事を特徴とする回転電機システム
【請求項４】
請求項１記載の回転電機システムに於いて，分流磁極部に配置された主磁極及びバイパス磁極は周方向に並んで配置され，表面磁極部或いは分流磁極部の何れかを可動磁極部として残余に対して周方向に偏倚可能に構成される事を特徴とする回転電機システム
【請求項５】
請求項１記載の回転電機システムに於いて，界磁部及び電機子は径方向に対向し，周方向磁化を有する界磁磁石と分流磁極部を隣り合う磁性体突極延長部間に配置され，分流磁極部に配置された主磁極及びバイパス磁極は径方向に並んで配置され，分流磁極部が可動磁極部として周方向と直交する面内に偏倚可能に構成される事を特徴とする回転電機システム
【請求項６】
請求項１記載の回転電機システムに於いて，界磁部及び電機子は軸方向に対向し，周方向磁化を有する界磁磁石と分流磁極部を隣り合う磁性体突極延長部間に配置され，分流磁極部に配置された主磁極及びバイパス磁極は軸方向に並んで配置され，分流磁極部が可動磁極部として軸方向に偏倚可能に構成される事を特徴とする回転電機システム
【請求項７】
請求項１記載の回転電機システムに於いて，さらに主磁路或いはバイパス磁路の磁気抵抗を調整する磁気抵抗調整手段を有し，可動磁極部の偏倚に必要な力を小とするよう主磁路或いはバイパス磁路の磁気抵抗が調整される事を特徴とする回転電機システム
【請求項８】
請求項７記載の回転電機システムに於いて，可動磁極部を偏倚させる際に磁気抵抗調整手段によりバイパス磁路の磁気抵抗と主磁路の磁気抵抗とは最小磁気力条件にほぼ等しくなるよう調整される事を特徴とする回転電機システム
【請求項９】
請求項７記載の回転電機システムに於いて，電機子を流れる磁束量を増加する場合に最小磁気力条件より主磁路の磁気抵抗は小に或いはバイパス磁路の磁気抵抗は大に磁気抵抗調整手段によって調整され，電機子を流れる磁束量を減少させる場合に最小磁気力条件より主磁路の磁気抵抗は大に或いはバイパス磁路の磁気抵抗は小に磁気抵抗調整手段によって調整され，同時に可動磁極部が偏倚される事を特徴とする回転電機システム
【請求項１０】
請求項７記載の回転電機システムに於いて，さらに主磁路及びバイパス磁路の磁気抵抗が最小磁気力条件から外れる事により可動磁極部に加わる磁気力の検知手段を有し，間歇的に変えられた磁気抵抗調整手段に関係するパラメータ，或いは通常の運転中に変わる前記パラメータと前記磁気力との関係を監視し，前記磁気力を小とする前記パラメータが最小磁気力条件パラメータとして設定される事を特徴とする回転電機システム
【請求項１１】
請求項１記載の回転電機システムに於いて，表面磁極部が分流磁極部に対して周方向に偏倚されるよう構成され，表面磁極部が分流磁極部に対して回転子の回転方向に相対偏倚する時に界磁磁石と主磁極との対向面積が増大するよう構成されている事を特徴とする回転電機システム
【請求項１２】
請求項１記載の回転電機システムに於いて，表面磁極部が分流磁極部に対して周方向に偏倚されるよう構成され，更に表面磁極部の分流磁極部に対する位置を保持する位置保持機構を有し，表面磁極部を分流磁極部に対して回転偏倚させる際に位置保持機構による表面磁極部の保持力を一時的に緩めると共に回転子を回転駆動するよう電流を電機子コイルに供給して表面磁極部を周方向に偏倚させる事を特徴とする回転電機システム
【請求項１３】
請求項１から請求項１２記載の何れかの回転電機システムに於いて，さらに制御装置を有し，回転力を入力とし，発電電力を出力とする回転電機システムであって，制御装置により電機子コイルに誘起される発電電圧が所定の値より大の時は可動磁極部が偏倚されて界磁磁石と主磁極とが対向する面積を小とされ，発電電圧が所定の値より小の時は可動磁極部が偏倚されて界磁磁石と主磁極とが対向する面積を大とされ，発電電圧が所定の値に制御される事を特徴とする回転電機システム
【請求項１４】
請求項１から請求項１２記載の何れかの回転電機システムに於いて，さらに制御装置を有し，電機子コイルへの供給電流を入力とし，回転力を出力とする回転電機システムであって，制御装置により回転速度が所定の値より大で電機子を流れる磁束量を減少させる時には可動磁極部が偏倚されて界磁磁石と主磁極とが対向する面積を小とされ，回転速度が所定の値より小で電機子を流れる磁束量を増大させる時には可動磁極部が偏倚されて界磁磁石と主磁極とが対向する面積を大として回転力が最適に制御される事を特徴とする回転電機システム
【請求項１５】
請求項１から請求項１２記載の何れかの回転電機システムに於いて，さらに制御装置を有し，電機子コイルへの供給電流を入力とし，回転力を出力とする回転電機システムであって，回転速度を減少させる場合には制御装置により電機子を流れる磁束量を大とされるよう可動磁極部が偏倚されて界磁磁石と主磁極とが対向する面積が大とされて回転エネルギーが発電電力として取り出される事を特徴とする回転電機システム
【請求項１６】
電機子コイルを有する電機子と，電機子と対向して相対回転可能で且つ電機子と対向して周方向に配置された複数の磁性体突極を有する表面磁極部と，磁性体突極延長部に結合された界磁磁石に対向して配置された分流磁極部とを有する回転電機の電機子を流れる磁束量を制御する磁束量制御方法であって，分流磁極部は主磁極及びバイパス磁極を前記界磁磁石に対向して有し，界磁磁石の一方の磁極から主磁極に流入した磁束が電機子および隣り合う磁性体突極を介して界磁磁石の他方の磁極に環流する主磁路と，界磁磁石の一方の磁極からバイパス磁極に流入した磁束が主として界磁部内で磁性体突極延長部を介して界磁磁石の他方の磁極に環流するバイパス磁路とを界磁磁石に並列に磁気的に接続し，表面磁極部或いは分流磁極部の何れかを可動磁極部として界磁磁石が主磁極と対向する面積及びバイパス磁極と対向する面積の和が一定に保たれながら前記それぞれの対向面積を変えるよう可動磁極部が残余に対して相対偏倚可能に構成し，可動磁極部を偏倚させて電機子を流れる磁束量を制御する。
【請求項１７】
請求項１６記載の磁束量制御方法に於いて以下のステップを含む。バイパス磁路の磁気抵抗をバイパス磁路内に含まれる直列界磁磁石の数で除した値及び主磁路の磁気抵抗を主磁路内に含まれる直列界磁磁石の数で除した値が互いにほぼ等しいとする最小磁気力条件に設定する。
【請求項１８】
請求項１６記載の磁束量制御方法に於いて以下のステップを含む。さらに主磁路或いはバイパス磁路の磁気抵抗を調整する磁気抵抗調整手段を有し，可動磁極部の偏倚に必要な力を小とするよう主磁路或いはバイパス磁路の磁気抵抗を調整する。
【請求項１９】
請求項１８記載の磁束量制御方法に於いて以下のステップを含む。可動磁極部を偏倚させる際に磁気抵抗調整手段によりバイパス磁路の磁気抵抗と主磁路の磁気抵抗とを最小磁気力条件にほぼ等しくなるよう調整する。
【請求項２０】
請求項１８記載の磁束量制御方法に於いて以下のステップを含む。電機子を流れる磁束量を増加する場合に磁気抵抗調整手段は最小磁気力条件より主磁路の磁気抵抗を小に或いはバイパス磁路の磁気抵抗を大に調整し，電機子を流れる磁束量を減少させる場合に磁気抵抗調整手段は最小磁気力条件より主磁路の磁気抵抗を大に或いはバイパス磁路の磁気抵抗を小に調整し，同時に可動磁極部を偏倚させる。
【請求項２１】
請求項１８記載の磁束量制御方法に於いて以下のステップを含む。さらに主磁路及びバイパス磁路の磁気抵抗が最小磁気力条件から外れる事により可動磁極部に加わる磁気力の検知手段を有し，間歇的に変えられた磁気抵抗調整手段に関係するパラメータ，或いは通常の運転中に変わる前記パラメータと可動磁極部に加わる磁気力との関係を監視し，可動磁極部に加わる磁気力を小とする前記パラメータを最小磁気力条件パラメータとして設定する。
【発明の詳細な説明】
【技術分野】
【０００１】
本発明は，永久磁石界磁を持つ回転電機に関し，特に弱め界磁制御により出力を最適に制御する回転電機システムに関する。
【背景技術】
【０００２】
永久磁石界磁と電機子との相対的回転によって電磁的に生ずる電力を取り出す発電機或いは電機子に供給する電流によって生ずる磁界と永久磁石界磁との相互作用により永久磁石界磁と電機子との相対的回転を生ずる電動機等の回転電機はエネルギー効率に優れ，永久磁石の技術的進歩に伴い日常的に広く使われている。しかしそのような回転電機は、永久磁石界磁からの磁束が一定であるので電動機として用いられるにしても発電機として用いられるにしても広い回転速度範囲で常に最適の出力が得られる訳ではない。すなわち，電動機の場合は高速回転域では逆起電力（発電電圧）が高すぎる結果となって制御が困難となり，弱め界磁制御として界磁強度を弱める種々の手段が提案されている。また発電機の場合，広い回転速度範囲に於いて発電電圧を所定のレベルとする為に専ら界磁電流制御による定電圧発電或いは半導体による発電電圧の定電圧化回路が用いられている。
【０００３】
電動機では進み位相電流による弱め界磁制御が広く採用されているが，回転に直接寄与しない電流を流す為にエネルギー損失を大とする。永久磁石励磁に制御用電流励磁を併用する場合は回転電機の構造を複雑にし，その上にエネルギー損失を伴う。さらに発電機の場合，大電力での定電圧化電子回路のコスト負担が大であるとの問題があった。したがって，回転電機装置の構成を工夫して電子回路制御を最小限に留めて装置全体としてのコストを低減する方策は以前から求められ，種々の提案が為されてきた。
【０００４】
上記提案例に界磁回転子を二分し，二つの界磁回転子を周方向に相対偏倚させて実効的に界磁強度を制御する方法がある（特許文献１）。前記相対偏倚は機構的に保持出来るので制御の為のエネルギー損失は少ない長所はあるが，電機子に流入する界磁強度の絶対値は変わらないので高速回転域で渦電流損が大きい欠点がある。他の提案例に界磁磁石を含む磁気回路の磁気抵抗を変えて磁束を制御する装置がある（特許文献２，３）。更に他の提案例として界磁磁石を短絡制御する装置がある（特許文献４，５，６）。一般に磁石を含む磁気回路に可動部分が存在する場合，磁気回路を流れる磁束を大にする方向（磁気抵抗を小にする方向）に可動部分を偏倚させようとする磁気力が存在する。界磁磁石は回転電機装置に於いて，力を発生し或いは電力を発生する源泉である。機械的な偏倚により磁気回路の磁気抵抗を制御する或いは界磁磁石を短絡する回転電機装置の提案例に於いて上記磁気力は回転電機の出力に比例し，偏倚制御に大きな力を要すると共に部材の振動或いはハンチング等を招来して精密な制御を困難にする。さらに大出力のアクチュエータ，過分な機械強度を伴う機構等を必要として実現には困難を伴っている。
【特許文献１】米国特許３７１３０１５「ALTERNATING CURRENT GENERATOR HAVING A TWIN PM ROTOR WHICH IS ADJUSTABLE IN RESPONSE TO OUTPUT VOLTAGE」
【特許文献２】特開２００４−３２０８６４「同期回転電機及びその制御方法」
【特許文献３】特開２００４−３２８９４４「磁束制御型発電機」
【特許文献４】米国特許４８８５４９３「Output voltage control apparatus of a permanent magnet alternator」
【特許文献５】特開２００４−３５７３５７「永久磁石形モータ及び洗濯機」
【特許文献６】特開２００６−２４６６６２「永久磁石式回転機」
【発明の開示】
【発明が解決しようとする課題】
【０００５】
したがって，本発明が解決しようとする課題は，（１）界磁磁石を減磁させる懸念が少ない事，（２）磁束量制御に必要な力を小さく抑える事等の条件を考慮して磁束量制御を容易として出力を最適に制御できる回転電機システム及び磁束量制御方法を提供する事である。
【課題を解決するための手段】
【０００６】
本発明による回転電機システム及び磁束量制御方法は，電機子側に流入させる磁束量を機械的偏倚により変える事が出来る。その具体的な内容は以下の通りである。
【０００７】
請求項１の発明による回転電機システムは，電機子コイルを有する電機子と，電機子と対向して相対回転可能で且つ電機子と対向して周方向に配置された複数の磁性体突極を有する界磁部とを有する回転電機であって，界磁部には表面磁極部と分流磁極部とが配置され，表面磁極部は電機子との対向面に複数の磁性体突極が周方向に配置されると共に分流磁極部との対向面に磁性体突極延長部に接続された界磁磁石の磁極が配置され，分流磁極部は前記界磁磁石に対向して配置された主磁極及びバイパス磁極を有し，界磁磁石の一方の磁極から主磁極に流入した磁束が隣り合う磁性体突極および電機子を介して界磁磁石の他方の磁極に環流する主磁路と，界磁磁石の一方の磁極からバイパス磁極に流入した磁束が主として界磁部内で磁性体突極延長部を介して界磁磁石の他方の磁極に環流するバイパス磁路とが界磁磁石に並列に磁気的に接続され，表面磁極部或いは分流磁極部の何れかを可動磁極部として界磁磁石が主磁極と対向する面積及びバイパス磁極と対向する面積の和が一定に保たれながら前記それぞれの対向面積を変える事が出来るよう可動磁極部が残余に対して相対偏倚可能に構成され，回転電機システムの出力が最適化されるように前記出力に応じて可動磁極部が偏倚して電機子に流れる磁束量が制御される事を特徴とする。
【０００８】
上記構成に於いて，界磁磁石に主磁極及びバイパス磁極が微小間隙を介して対向し，磁束は界磁磁石及び磁性体近傍ではそれらの境界面にほぼ直交するので界磁磁石からの磁束はほぼ層流状に主磁極及びバイパス磁極に流入し，主磁極に分流される磁束量は主磁極と界磁磁石の対向面積に比例する。前記微小間隙を可能な限り小にし，さらに界磁磁石との対向面では主磁極とバイパス磁極間の間隙も微小に設定すれば前記磁束分布はさらに完全な層流状に近くなり，磁束量の精密な制御が可能になる。また，バイパス磁路の接続により界磁磁石に繋がる磁気抵抗の変動は小さくなるので可動磁極部の偏倚を妨げる磁気力は抑制され，主磁路に流入する磁束量を変更しても界磁磁石にはバイパス磁路が接続されているので界磁磁石が減磁されるリスクは避けられる。
【０００９】
可動磁極部の偏倚手段には種々の手段が適用可能である。例えば，半固定機構として予め手動で設定する機構手段，遠心力を利用するガバナ機構，回転子内にアクチュエータを有する機構手段或いは回転子外からの外力により偏倚させる機構手段等がある。
【００１０】
回転電機には，界磁部が回転し電機子が静止する構造及びその逆の構造，さらに円筒状の電機子と界磁部が径方向に空隙を介して対向する構造，或いは略円盤状の電機子と界磁部が軸方向に空隙を介して対向する構造等のいずれの構造も存在する。本発明は永久磁石励磁の界磁部を持つ上記何れの構造の回転電機システムにも適用される。また，回転電機は電機子コイルへの電流を入力として回転力を出力とすれば電動機であり，回転力を入力として電機子コイルから電流を出力すれば発電機である。電動機或いは発電機に於いて最適の磁極構成は存在するが，可逆的であり，上記の回転電機システムは電動機，発電機の何れにも適用される。
【００１１】
請求項２の発明は，請求項１記載の回転電機システムに於いて，バイパス磁路の磁気抵抗をバイパス磁路内に含まれる直列界磁磁石の数で除した値及び主磁路の磁気抵抗を主磁路内に含まれる直列界磁磁石の数で除した値が互いにほぼ等しいとする最小磁気力条件に設定されている事を特徴とする。主磁路の磁気抵抗は磁性体突極と磁性体歯との相対位置により変動するが，本発明で主磁路の磁気抵抗は磁性体突極と磁性体歯間の各相対位置に関して平均化された値としている。バイパス磁路内には磁気的な空隙或いは狭隘部等で構成する磁気抵抗調整部分を有してバイパス磁路の磁気抵抗を設定する。両磁路の磁気抵抗を最小磁気力条件に等しく設定することで界磁磁石から両磁路に流入する磁束量は一定に保たれるので可動磁極部の偏倚を妨げる磁気力は最小となる。「ほぼ等しい」の意味は前記偏倚に用いるアクチュエータの出力以下に前記偏倚を妨げる磁気力を抑制するよう両磁路の磁気抵抗を最小磁気力条件に近く設定する事である。
【００１２】
前記両磁路の磁気抵抗を最小磁気力条件に設定する事で両磁路間の磁束漏洩を小さく抑制し，前記偏倚を妨げる磁気力を小さく抑制する事が出来るが，磁路の磁気抵抗を変動させる要因は多い。すなわち，量産段階で部品寸法は設定公差内でばらついて各磁路の磁気抵抗を変動させ，磁路間の磁束漏洩が無視できない場合は可動磁極部の偏倚位置が各磁路の磁気抵抗に影響し，磁性体の透磁率は温度の影響を受けやすいので各磁路の磁気抵抗は変化する。更にまた電機子コイルに電流が流れると主磁路の磁気抵抗は実効的に変動する。このように各磁路の磁気抵抗は変動するので回転電機システムの仕様に合わせて回転子の静止状態或いは平均的な運転条件に於いて両磁路の磁気抵抗を最小磁気力条件に設定する。
【００１３】
請求項３の発明は，請求項１記載の回転電機システムに於いて，界磁磁石から磁性体突極に至る磁路は等方性の磁性体を含んで構成される事を特徴とする。界磁磁石の一方の磁極は磁性体突極延長部に接続される構成であるのでバイパス磁路に流入した磁束は磁性体突極延長部を介して界磁磁石に環流する。磁束の環流する磁路の磁気抵抗を可能な限り小さく構成する為に等方性の磁性体で界磁磁石から磁性体突極に至る磁路を構成する。磁性体突極をケイ素鋼板の積層体で構成すると，ケイ素鋼板の積層方向の磁気抵抗は大となる。磁束がケイ素鋼板の積層方向に流れる構成で特に有効である。
【００１４】
請求項４の発明は，請求項１記載の回転電機システムに於いて，分流磁極部に配置された主磁極及びバイパス磁極は周方向に並んで配置され，表面磁極部或いは分流磁極部の何れかを可動磁極部として残余に対して周方向に偏倚可能に構成される事を特徴とする。
【００１５】
請求項５の発明は，請求項１記載の回転電機システムに於いて，界磁部及び電機子は径方向に対向し，周方向磁化を有する界磁磁石と分流磁極部を周方向に隣り合う磁性体突極延長部間に配置され，分流磁極部に配置された主磁極及びバイパス磁極は径方向に並んで配置され，分流磁極部を可動磁極部として周方向と直交する面内に偏倚可能に構成される事を特徴とする。
【００１６】
請求項６の発明は，請求項１記載の回転電機システムに於いて，界磁部及び電機子は軸方向に対向し，周方向磁化を有する界磁磁石と分流磁極部を周方向に隣り合う磁性体突極延長部間に配置され，分流磁極部に配置された主磁極及びバイパス磁極は軸方向に並んで配置され，分流磁極部が可動磁極部として軸方向に偏倚可能に構成される事を特徴とする回転電機システム
請求項７の発明は，請求項１記載の回転電機システムに於いて，さらに主磁路或いはバイパス磁路の磁気抵抗を調整する磁気抵抗調整手段を有し，可動磁極部の偏倚に必要な力を小とするよう主磁路或いはバイパス磁路の磁気抵抗が調整される事を特徴とする。本発明は磁気抵抗調整手段を有して回転電機の運転中に主磁路或いはバイパス磁路の磁気抵抗を調整して可動磁極部の偏倚制御時に前記偏倚に必要な力を小として精密な磁束量制御を可能にしている。磁気抵抗調整手段により可動磁極部の偏倚制御時に前記偏倚に必要な力を小とする方法は，主磁路とバイパス磁路の磁気抵抗を最小磁気力条件に調整する事，或いは可動磁極部の偏倚をアシストする方向の磁気力を発生させるよう主磁路とバイパス磁路の磁気抵抗を最小磁気力条件からずらして調整する事がある。具体的に磁路の磁気抵抗を調整するには磁路を形成する寸法諸元の変更制御及び磁路に巻回したコイルへの通電制御等による磁気抵抗調整手段，方法，温度或いは磁気飽和等を利用して磁性体の磁気特性を制御する方法がある。
【００１７】
請求項８の発明は，請求項７記載の回転電機システムに於いて，
可動磁極部を偏倚させる際に磁気抵抗調整手段によりバイパス磁路の磁気抵抗と主磁路の磁気抵抗とは最小磁気力条件にほぼ等しくなるよう調整される事を特徴とする。可動磁極部を偏倚させる際にバイパス磁路と主磁路の磁気抵抗を最小磁気力条件に調整すれば，偏倚を妨げる磁気力を最小に出来る。前記偏倚に用いるアクチュエータの出力以下に偏倚を妨げる磁気力を抑制して回転電機の運転条件により各磁路の磁気抵抗が初期値から変動する場合でも精密な磁束量制御を可能にする。
【００１８】
請求項９の発明は，請求項７記載の回転電機システムに於いて，電機子を流れる磁束量を増加する場合に最小磁気力条件より主磁路の磁気抵抗は小に或いはバイパス磁路の磁気抵抗は大に磁気抵抗調整手段によって調整され，電機子を流れる磁束量を減少させる場合に最小磁気力条件より主磁路の磁気抵抗は大に或いはバイパス磁路の磁気抵抗は小に磁気抵抗調整手段によって調整され，同時に可動磁極部が偏倚される事を特徴とする。主磁路或いはバイパス磁路の磁気抵抗差に応じて現れる磁気力は最小磁気力条件を境に方向が変わる。関係するパラメータを最小磁気力条件を基準に所定量ずらして磁気力を発生させる事により偏倚をアシストする磁気力を安定的に得る事が出来る。最小磁気力条件は回転電機の運転状態によって変わり，運転中に学習的に取得する或いは予め設定されたマップデータから取得する。
【００１９】
請求項１０の発明は，請求項７記載の回転電機システムに於いて，さらに主磁路及びバイパス磁路の磁気抵抗が最小磁気力条件から外れる事により可動磁極部に加わる磁気力の検知手段を有し，間歇的に変えられた磁気抵抗調整手段に関係するパラメータ，或いは通常の運転中に変わる前記パラメータと前記磁気力との関係を監視し，前記磁気力を小とする前記パラメータが最小磁気力条件パラメータとして設定される事を特徴とする。主磁路及びバイパス磁路の磁気抵抗は，可動磁極部の偏倚位置の影響を受け，温度による磁気特性変化，さらに経時的な磁気特性変化等の影響を受ける。本発明は主磁路及びバイパス磁路の磁気抵抗が最小磁気力条件から外れる事で現れる磁気力の検知手段を有し，最小磁気力条件となるパラメータを学習的に取得してそれらのパラメータを更新する。
【００２０】
請求項１１の発明は，請求項１記載の回転電機システムに於いて，表面磁極部が分流磁極部に対して周方向に偏倚されるよう構成され，表面磁極部が分流磁極部に対して回転子の回転方向に相対偏倚する時に界磁磁石と主磁極との対向面積が増大するよう構成されている事を特徴とする。表面磁極部を回転方向に加速するよう電機子コイルに電流を供給して偏倚させると，界磁磁石と主磁極との対向面積が増大する方向の磁気力が発生されるので前記偏倚に要する力を小さく設定できる。
【００２１】
請求項１２の発明は，請求項１記載の回転電機システムに於いて，表面磁極部が分流磁極部に対して周方向に偏倚されるよう構成され，表面磁極部の分流磁極部に対する位置を保持する位置保持機構を更に有し，表面磁極部を分流磁極部に対して回転偏倚させる際に位置保持機構による表面磁極部の保持力を一時的に緩めると共に回転子を回転駆動するよう電流を電機子コイルに供給して表面磁極部を周方向に偏倚させる事を特徴とする。表面磁極部を偏倚させる手段として回転電機システムの駆動力を利用できるので特に大出力のアクチュエータを要せずに迅速な偏倚を実現できる。
【００２２】
請求項１３の発明は，請求項１から請求項１２記載の何れかの回転電機システムに於いて，さらに制御装置を有し，回転力を入力とし，発電電力を出力とする回転電機システムであって，制御装置により電機子コイルに誘起される発電電圧が所定の値より大の時は可動磁極部が偏倚されて界磁磁石と主磁極とが対向する面積を小とされ，発電電圧が所定の値より小の時は可動磁極部が偏倚されて界磁磁石と主磁極とが対向する面積を大とされ，発電電圧が所定の値に制御される事を特徴とする。広範な回転速度範囲で定電圧の発電電圧を得る事が出来，高価な電圧制御装置を不要とし，エネルギー効率を向上出来る。
【００２３】
請求項１４の発明は，請求項１から請求項１２記載の何れかの回転電機システムに於いて，さらに制御装置を有し，電機子コイルへの供給電流を入力とし，回転力を出力とする回転電機システムであって，制御装置により回転速度が所定の値より大で電機子を流れる磁束量を減少させる時には可動磁極部が偏倚されて界磁磁石と主磁極とが対向する面積を小とされ，回転速度が所定の値より小で電機子を流れる磁束量を増大させる時には可動磁極部が偏倚されて界磁磁石と主磁極とが対向する面積を大として回転力が最適に制御される事を特徴とする。広範な回転速度範囲で電動機システムとしての出力を最適に制御する。
【００２４】
請求項１５の発明は，請求項１から請求項１２記載の何れかの回転電機システムに於いて，さらに制御装置を有し，電機子コイルへの供給電流を入力とし，回転力を出力とする回転電機システムであって，回転速度を減少させる場合には制御装置により電機子を流れる磁束量を大とされるよう可動磁極部が偏倚されて界磁磁石と主磁極とが対向する面積が大とされて回転エネルギーが発電電力として取り出される事を特徴とする。回生制動の能力を改善して総合的なエネルギー効率を向上させる事が出来る
請求項１６の発明は，電機子コイルを有する電機子と，電機子と対向して相対回転可能で且つ電機子と対向して周方向に配置された複数の磁性体突極を有する表面磁極部と，磁性体突極延長部に結合された界磁磁石に対向して配置された分流磁極部とを有する回転電機の電機子を流れる磁束量を制御する磁束量制御方法であって，分流磁極部は主磁極及びバイパス磁極を前記界磁磁石に対向して有し，界磁磁石の一方の磁極から主磁極に流入した磁束が電機子および隣り合う磁性体突極を介して界磁磁石の他方の磁極に環流する主磁路と，界磁磁石の一方の磁極からバイパス磁極に流入した磁束が主として界磁部内で磁性体突極延長部を介して界磁磁石の他方の磁極に環流するバイパス磁路とを界磁磁石に並列に磁気的に接続し，表面磁極部或いは分流磁極部の何れかを可動磁極部として界磁磁石が主磁極と対向する面積及びバイパス磁極と対向する面積の和が一定に保たれながら前記それぞれの対向面積を変えるよう可動磁極部が残余に対して相対偏倚可能に構成し，可動磁極部を偏倚させて電機子を流れる磁束量を制御する。
【００２５】
磁石励磁回転電機システムに於ける磁束量制御方法であって，磁性体突極を励磁する界磁磁石に磁性体突極及び電機子側を通る主磁路及び電機子側を通らないバイパス磁路とが並列に接続され，主磁路に接続される主磁極及びバイパス磁路に接続されるバイパス磁極と界磁磁石の磁極との対向面積を機構偏倚により変えて主磁路，すなわち電機子側を流れる磁束量を制御する。界磁磁石に主磁極及びバイパス磁極が対向しているので界磁磁石からの磁束は層流状に主磁極及びバイパス磁極に流入し，主磁極に分流される磁束量はほぼ主磁極と界磁磁石の対向面積に比例する。バイパス磁路の接続により界磁磁石に繋がる磁気抵抗の変動は小さくなるので可動磁極部の偏倚を妨げる磁気力は抑制され，主磁路を流れる磁束量を変更しても界磁磁石には常に磁路が接続されているので界磁磁石が減磁される懸念は少ない。
【００２６】
請求項１７の発明は，請求項１６記載の磁束量制御方法に於いて以下のステップを含む。バイパス磁路の磁気抵抗をバイパス磁路内に含まれる直列界磁磁石の数で除した値及び主磁路の磁気抵抗を主磁路内に含まれる直列界磁磁石の数で除した値が互いにほぼ等しいとする最小磁気力条件に設定する。両磁路の磁気抵抗を最小磁気力条件に等しく設定することで界磁磁石から両磁路に流入する磁束量は一定に保たれるので可動磁極部の偏倚を妨げる磁気力は最小となる。「ほぼ等しい」の意味は前記偏倚に用いるアクチュエータの出力以下に前記偏倚を妨げる磁気力を抑制するよう両磁路の磁気抵抗を最小磁気力条件に近く設定する事である。各磁路の磁気抵抗は回転電機の運転条件によって変動し，界磁制御の仕様により静止状態或いは平均的な運転条件に於いてバイパス磁路及び主磁路の磁気抵抗を最小磁気力条件に設定する。バイパス磁路の磁気抵抗と主磁路の磁気抵抗とが最小磁気力条件に近い状態では主磁路とバイパス磁路間の磁束短絡を小としてさらに精密な磁束分流制御を実現できる。
【００２７】
請求項１８の発明は，請求項１６記載の磁束量制御方法に於いて以下のステップを含む。さらに主磁路或いはバイパス磁路の磁気抵抗を調整する磁気抵抗調整手段を有し，可動磁極部の偏倚に必要な力を小とするよう主磁路或いはバイパス磁路の磁気抵抗を調整する。本発明は回転電機の運転中に主磁路或いはバイパス磁路の磁気抵抗を調整して可動磁極部の偏倚制御時に前記偏倚に必要な力を小として精密な磁束量制御を可能にする。磁気抵抗調整手段の具体的な構成には磁路を形成する寸法諸元の変更制御，磁路に巻回したコイルへの通電制御，温度或いは磁気飽和等を利用する磁性体の磁気特性制御等がある。磁気抵抗調整手段により可動磁極部の偏倚制御時に前記偏倚に必要な力を小とする方法は，主磁路とバイパス磁路の磁気抵抗を偏倚を妨げる磁気力を最小にする最小磁気力条件に調整する，或いは可動磁極部の偏倚をアシストする方向の磁気力を発生させるよう主磁路とバイパス磁路の磁気抵抗を最小磁気力条件から外して調整する。後者は偏倚に必要な力をさらに小と出来るが，偏倚制御手段の駆動方向切換と共に磁気抵抗調整手段の調整方向切換を同期させる必要があり，磁束量制御方法の仕様に応じて選択する。
【００２８】
請求項１９の発明は，請求項１８記載の磁束量制御方法に於いて以下のステップを含む。可動磁極部を偏倚させる際に磁気抵抗調整手段によりバイパス磁路の磁気抵抗と主磁路の磁気抵抗とを最小磁気力条件にほぼ等しくなるよう調整する。可動磁極部を偏倚させる際にバイパス磁路と主磁路の磁気抵抗を最小磁気力条件に調整すれば，偏倚を妨げる磁気力を最小に出来る。前記偏倚に用いるアクチュエータの出力以下に偏倚を妨げる磁気力を抑制して回転電機の運転条件により各磁路の磁気抵抗が初期値から変動する場合でも精密な磁束量制御を可能にする。
【００２９】
請求項２０の発明は，請求項１８記載の磁束量制御方法に於いて以下のステップを含む。電機子を流れる磁束量を増加する時に磁気抵抗調整手段は最小磁気力条件より主磁路の磁気抵抗を小に或いはバイパス磁路の磁気抵抗を大に調整し，電機子を流れる磁束量を減少させる時に磁気抵抗調整手段は最小磁気力条件より主磁路の磁気抵抗を大に或いはバイパス磁路の磁気抵抗を小に調整し，同時に可動磁極部を偏倚させる。主磁路或いはバイパス磁路の磁気抵抗差に応じて現れる磁気力は最小磁気力条件を境に方向が変わる。関係するパラメータを最小磁気力条件を基準に所定量ずらして磁気力を発生させる事により偏倚をアシストする磁気力を安定的に得る事が出来る。最小磁気力条件は回転電機の運転状態によって変わり，運転中に学習的に取得する或いは予め設定されたマップデータから取得する。
【００３０】
請求項２１の発明は，請求項１８記載の磁束量制御方法に於いて以下のステップを含む。さらに主磁路及びバイパス磁路の磁気抵抗が最小磁気力条件から外れる事により可動磁極部に加わる磁気力の検知手段を有し，間歇的に変えられた磁気抵抗調整手段に関係するパラメータ，或いは通常の運転中に変わる前記パラメータと可動磁極部に加わる磁気力との関係を監視し，可動磁極部に加わる磁気力を小とする前記パラメータを最小磁気力条件パラメータとして設定する。主磁路及びバイパス磁路の磁気抵抗は，可動磁極部の偏倚位置の影響を受け，温度による磁気特性変化，さらに経時的な磁気特性変化等の影響を受ける。本発明は主磁路及びバイパス磁路の磁気抵抗が最小磁気力条件から外れる事で現れる磁気力の検知手段を有し，磁気抵抗調整手段に係わるパラメータを学習的に取得して最小磁気力条件としてそれらのデータを更新する。
【発明の効果】
【００３１】
永久磁石励磁の界磁部を有する回転電機システムに於いて，機械的偏倚により界磁磁石の磁束を主磁路及びバイパス磁路に分流制御させるとして，機械的偏倚の障害となる磁気力を抑制し，或いは磁気力を利用して磁束量を制御可能とした。本発明の磁束分流制御回転電機に於いて弱め界磁制御が容易となり，高エネルギー効率で出力を最適に制御する回転電機システムを実現出来る。
【発明を実施するための最良の形態】
【００３２】
以下に本発明による回転電機システムについて，その実施例及び原理作用等を図面を参照しながら説明する。
【実施例１】
【００３３】
本発明による回転電機システムの第一実施例を図１から図７を用いて説明する。第一実施例は，磁束量制御に際して回転子を加速或いは減速させる方向の電流を電機子コイルに供給する事で主磁路の磁気抵抗調整及び表面磁極部を偏倚させる手段としている。図１は回転電機の縦断面図，図２は電機子と回転子とを示す断面図，図３は回転子の構成を示す分解斜視図，図４は回転子と表面磁極部との係合部を示す斜視図，図５は磁石トルク及びリラクタンストルクと駆動電流位相の関係を示す図，図６は回転電機システムのブロック図，図７はサンプリング的に表面磁極層の偏倚制御を行って磁束量を制御するタイミングチャートをそれぞれ示す。
【００３４】
図１はラジアルギャップ構造の回転電機に本発明を適用した実施例を示し，回転軸１１がベアリング１３を介してハウジング１２に回動可能に支持されている。電機子はハウジング１２に固定された円筒状磁気ヨーク１５と，磁性体歯１４と，電機子コイル１６とから構成されている。回転子の界磁部は磁性体歯１４と径方向に対向して界磁磁石を有する表面磁極部１７，表面磁極部１７と微小間隙を介して対向する分流磁極部とから成り，分流磁極部は主要部を主磁極，バイパス磁極とより構成されて回転子支持体１９に固定され，表面磁極部１７は表面磁極部支持体１ａと共にベアリング１ｋを介して回転子支持体１９及び分流磁極部に回動可能に支持されている。番号１８は回転子の左側端部に延長されたバイパス磁極の延長部を代表して示し，番号１ｒは円筒状磁気コアを示し，番号１ｐはバイパス磁極延長部１８に接続された環状磁気コアを示している。
【００３５】
回転軸１１は中空構造として，中空部１ｄ内に軸方向に摺動可能に配設された摺動棒１ｈを有し，摺動棒１ｈはプッシュロッド１ｅを介してアクチュエータ１ｆにより軸方向に駆動される構成としている。スプリング１ｇとクラッチ板１ｂが回転子支持体１９に配置され，スプリング１ｇがクラッチ板１ｂを表面磁極部支持体１ａに圧接するよう付勢されている。クラッチ板１ｂは内周側に３個の突部１ｊを持ち，その突部１ｊは回転軸１１の円筒壁に設けられたスリット部１ｃを貫通係合して回転軸１１とクラッチ板１ｂ間で相互に回転力を伝達している。さらにクラッチ板１ｂの内周側突部１ｊが摺動棒１ｈの端部と接する構成である。回転子支持体１９に設けた凹部１ｍと表面磁極部支持体１ａに固定した偏倚規制突部１ｎは表面磁極部１７の偏倚規制の為の係合部を構成する。
【００３６】
図２は図１のＡ−Ａ’に沿う電機子及び回転子の断面図を示し，相互の関係を説明する為に構成部分の一部に番号を付して示している。電機子はハウジング１２に固定された円筒状磁気ヨーク１５と，円筒状磁気ヨーク１５から径方向に延び，周方向に磁気空隙を有する複数の磁性体歯１４と，磁性体歯１４に巻回された電機子コイル１６とから構成されている。本実施例では９個の電機子コイル１６より構成され，それらは三相に結線されている。
【００３７】
電機子の磁性体歯１４先端には径方向に短い可飽和磁性体結合部２ｄを隣接する磁性体歯１４の先端部間に設けてある。磁性体歯１４及び可飽和磁性体結合部２ｄはケイ素鋼板を型で打ち抜いて積層し，電機子コイル１６を巻回した後，円筒状磁気ヨーク１５と組み合わせて電機子としている。可飽和磁性体結合部２ｄは磁性体歯１４と一体として磁性体歯１４の支持強度を向上させ，磁性体歯１４の不要な振動を抑制させる。可飽和磁性体結合部２ｄの径方向の長さは短く設定して容易に磁気的に飽和する形状としたので電機子コイル１６が発生させる磁束或いは界磁磁束によって容易に飽和し，その場合に電機子コイル１６が発生させる磁束及び界磁磁束の短絡を僅かな量とする。電機子コイル１６に電流が供給されると，時間と共に可飽和磁性体結合部２ｄは磁気的に飽和させられて周辺に磁束を漏洩させるが，磁気飽和した可飽和磁性体結合部２ｄに現れる実効的な磁気空隙の境界はクリアではないので漏洩する磁束の分布は緩やかとなり，可飽和磁性体結合部２ｄはこの点でも磁性体歯１４に加わる力の時間変化を緩やかにして振動抑制に寄与する。
【００３８】
図２に於いて，回転子の界磁部は表面磁極部１７と分流磁極部に区分され，微小間隙を介して配置されている。磁性体歯１４と対向する表面磁極部１７の側には周方向に等しいピッチで配置された磁性体突極が磁気空隙部を挟んで配置され，隣接する磁性体突極を番号２１，２２で，磁気空隙部を番号２３で代表させて示している。分流磁極部と対向する表面磁極部１７の側には磁性体突極２１の延長部２４に界磁磁石２６，磁性体突極２２の延長部２５に界磁磁石２７がそれぞれ結合され，隣接する界磁磁石２６，２７は互いに径方向磁化を反転させて隣接する磁性体突極２１，２２を互いに異極に磁化するよう配置されている。界磁磁石２６，２７に図示された矢印はそれぞれの磁化方向を示す。分流磁極部には界磁磁石２６，２７に対向して主磁極２８，バイパス磁極２ａの組み合わせと主磁極２９，バイパス磁極２ｂの組み合わせとがそれぞれ配置され，主磁極２８，２９は円筒状磁気コア１ｒと一体化されている。バイパス磁極２ａ，２ｂは軸方向に延長され，図１にバイパス磁極延長部１８として代表されて示されている。番号２ｃは回転子の回転方向を示す。
【００３９】
磁性体突極２１，２２は径方向に微小幅を持つ可飽和磁路部分により連結され，ケイ素鋼板を所定の型で打ち抜いて軸方向に積層して形成され，磁性体突極延長部２４，２５には軟鉄製ブロックが挿入され，界磁磁石２６，２７の部分には界磁磁石ブロックが挿入され，磁気空隙部２３には樹脂を充填して表面磁極部支持体１ａに固定されている。分流磁極部は回転子支持体１９に固定された円筒状磁気コア１ｒ及び主磁極２８，２９は軟鉄製ブロックより構成され，バイパス磁極２ａ，２ｂは軟鉄製ブロックより構成されて回転子支持体１９に固定されている。番号２ｅは磁気空隙部を示し，非磁性のステンレススチールで構成されている。
【００４０】
主磁極２８，２９の周方向角度長はバイパス磁極２ａ，２ｂの周方向角度長と等しく設定され，界磁磁石２６，２７それぞれの周方向角度長を主磁極２８の周方向角度長及び主磁極２８，バイパス磁極２ａ間間隙の周方向角度長の和に等しくなるよう設定し，表面磁極部１７及び分流磁極部間の相対偏倚量は主磁極２８の周方向角度長以下としている。この構成により界磁磁石２６は常に主磁極２８とバイパス磁極２ａとに対向し，表面磁極部１７の偏倚に応じてそれぞれの対向面積は変わるが，それぞれの対向面積の和は一定に保たれる。
【００４１】
図１から図３を用いて界磁磁石２６，２７からの磁束を制御する構成及び動作原理を説明する。図３は図１，図２に示した回転子３１の構成を示す分解斜視図であり，理解を容易にする為に環状磁気コア１ｐを離して示してある。図３及び図１及び図２に示されるように，軸方向に延長されたバイパス磁極２ａ，２ｂはバイパス磁極延長部１８で代表されて環状磁気コア１ｐに結合され，環状磁気コア１ｐの外周部は磁性体突極延長部２４，２５に微小間隙を介して対向する構成である。
【００４２】
図２に於いて，界磁磁石２６の一方の磁極には主磁極２８とバイパス磁極２ａが微小間隙を介して対向し，磁束は界磁磁石２６，主磁極２８，バイパス磁極２ａの表面にほぼ直交するのでそれらの間隙に於ける磁束はほぼ層流状であり，界磁磁石２６と主磁極２８の対向面積，界磁磁石２６とバイパス磁極２ａの対向面積に比例して磁束はそれぞれ主磁極２８，バイパス磁極２ａに分流される。主磁極２８に流入した磁束は円筒状磁気コア１ｒ，主磁極２９，界磁磁石２７，磁性体突極延長部２５，磁性体突極２２，磁性体歯１４，磁性体突極２１，磁性体突極延長部２４を介して界磁磁石２６に環流する主磁路を構成する。バイパス磁極２ａに流入した磁束はバイパス磁極延長部１８，環状磁気コア１ｐ，磁性体突極延長部２４を介して界磁磁石２６に環流するバイパス磁路を構成する。主磁路には界磁磁石２６及び界磁磁石２７が含まれ，バイパス磁路には界磁磁石２６のみが含まれるのでバイパス磁路の磁気抵抗を主磁路の磁気抵抗の半分となるよう環状磁気コア１ｐの外周部と磁性体突極延長部２４間の間隙長を磁気抵抗調整部分として設定する。環状磁気コア１ｐの外周部と磁性体突極延長部２５間の間隙長も同様に設定する。
【００４３】
上記設定に於いて，表面磁極部１７が周方向に偏倚しても界磁磁石２６が主磁極２８，バイパス磁極２ａそれぞれと対向する面積の和は一定であるので主磁路を流れる磁束量とバイパス磁路を流れる磁束量の和は一定となり，この条件が本実施例に於いて表面磁極部１７の偏倚を妨げる磁気力を最小とする最小磁気力条件である。主磁路を流れる磁束量は界磁磁石２６と主磁極２８の対向面積に比例し，表面磁極部１７の偏倚を妨げる磁気力は小に抑制されるので本実施例により精密な磁束量制御が可能である。主磁路は磁性体突極２１と磁性体歯１４間，磁性体歯１４と磁性体突極２２間に空隙を有する。それら空隙に於ける対向面積はバイパス磁極延長部１８と磁性体突極延長部２４間の対向面積より大であるが，環状磁気コア１ｐ，磁性体突極延長部２４間の間隙を微小として主磁路の磁気抵抗とバイパス磁路の磁気抵抗とを最小磁気力条件に設定出来る。さらに磁性体突極延長部２４，環状磁気コア１ｐは，飽和磁束密度が大きい軟鉄のブロックで構成したので環状磁気コア１ｐ，磁性体突極延長部２４間の対向面積を小さくしても磁気的に飽和し難い。本実施例では平均的な運転条件に於いて，主磁路とバイパス磁路の磁気抵抗は最小磁気力条件にほぼ等しくなるように諸元を設定する。
【００４４】
表面磁極部１７と分流磁極部間の相対偏倚量の最大値は主磁極２８の周方向角度長である。それ以上の偏倚量でも磁束量制御は可能であるが，主磁路を流れる磁束量と表面磁極部１７と分流磁極部間の相対偏倚量の比例関係とが不定と成って磁束量制御を複雑にする。本実施例では図１に示したように回転子支持体１９に設けた凹部１ｍ，表面磁極部支持体１ａに固定した偏倚規制突部１ｎとにより表面磁極部１７と分流磁極部間の偏倚を界磁磁石２６に対向している主磁極２８の周方向角度長以下となるよう規制している。
【００４５】
図４は回転子支持体１９の端面に設けられた凹部１ｍ，表面磁極部支持体１ａに固定した偏倚規制突部１ｎを拡大して示す斜視図である。同図に於いて，凹部１ｍには偏倚規制突部１ｎが配置され，表面磁極部１７と分流磁極部間の偏倚量を規制している。偏倚規制突部１ｎが凹部１ｍ内の右側壁面に当接した場合が界磁磁石２６と主磁極２８の対向面積を最小とする場合に，偏倚規制突部１ｎが凹部１ｍ内の左側壁面に当接した場合が界磁磁石２６と主磁極２８の対向面積を最大とする場合にそれぞれ対応している。本実施例では図２に示すように，主磁路の磁束量を増加させるには表面磁極部１７を時計回り方向に相対偏倚させて界磁磁石２６と主磁極２８と対向する周方向角度長を増加させ，主磁路の磁束量を減少させるには表面磁極部１７を反時計回り方向に相対偏倚させて界磁磁石２８と主磁極２８と対向する周方向角度長を減少させる。主磁路の界磁磁束の増減方向と表面磁極部１７の偏倚方向の関係が常に定まって磁束量制御をシンプルに出来る。
【００４６】
表面磁極部１７の偏倚制御は図１を用いて説明する。同図に於いて，クラッチ板１ｂはスプリング１ｇにより表面磁極部支持体１ａに圧接され，クラッチ板１ｂの内周側突部１ｊは回転軸１１のスリット部１ｃに貫通係合しているので表面磁極部支持体１ａ及び表面磁極部１７は回転軸１１，回転子支持体１９と共に回転している。
【００４７】
表面磁極部１７を回転子支持体１９に対して回転偏倚させる場合にはアクチュエータ１ｆによりプッシュロッド１ｅ及び摺動棒１ｈ及びクラッチ板１ｂの内周側突部１ｊを左方向に偏倚させてスプリング１ｇを縮めてクラッチ板１ｂを表面磁極部支持体１ａから離して表面磁極部支持体１ａ及び表面磁極部１７をフリー回転状態にさせる。同時に図示していない駆動回路により，電機子コイル１６に駆動電流を流して表面磁極部１７を偏倚方向に回転駆動させる。表面磁極部支持体１ａ及び表面磁極部１７はフリー回転状態でその質量は小さいので駆動回路に駆動されて加速或いは減速回転して分流磁極部に対して偏倚する。表面磁極部１７の偏倚駆動終了後はアクチュエータ１ｆがプッシュロッド１ｅ及び摺動棒１ｈを右方向に偏倚駆動させ，スプリング１ｇによりクラッチ板１ｂを表面磁極部支持体１ａに圧接させる。
【００４８】
回転子を加速或いは減速駆動する場合には主磁路を流れる磁束量をそれぞれ大，小とする方向に表面磁極部１７を偏倚させようとする磁気力が現れる。図２に示されるように表面磁極部１７が分流磁極部に対して回転子の回転方向に相対偏倚すると，界磁磁石２６と主磁極２８との対向面積が増大するよう表面磁極部１７及び分流磁極部を配置したので上記磁気力を有効に利用出来る。表面磁極部１７を加速或いは減速方向に回転駆動するに際しては磁性体歯１４と磁性体突極２１との相対位置により制御された駆動電流を電機子コイル１６に供給する。電動機の駆動方法として周知であり，駆動電流の供給方法及びタイミング等の説明は省略する。この構成で表面磁極部１７を加速或いは減速方向に回転駆動する事が主磁路の磁気抵抗調整手段及び表面磁極部１７の偏倚制御手段として機能している。アクチュエータ１ｆは表面磁極部１７をフリー回転状態とする時のみプッシュロッド１ｅを左方向に駆動するのでソレノイドコイルによる構成が適している。
【００４９】
本実施例は表面磁極部１７に於いて図２に示されるように周方向に磁性体突極と磁気空隙部とが交互に並ぶ構成であり，磁石トルク及びリラクタンストルクを利用して回転子を回転駆動出来る構成である。表面磁極部１７の偏倚駆動には磁石トルク及びリラクタンストルクの双方を利用出来るが，リラクタンストルクを主に利用して表面磁極部１７を駆動するよう電機子コイル１６に供給する駆動電流のタイミングを調整する事が望ましい。表面磁極部１７の偏倚駆動にリラクタンストルクを主に利用する理由は，例えば，主磁路に於ける界磁磁束がゼロ近傍である場合には磁石トルクを利用出来ない事による。
【００５０】
回転電機が電動機の場合に回転子を回転駆動するには磁性体歯１４と磁性体突極２１との相対位置に応じて電機子コイル１６に適切な電流を供給する。図５は電機子コイル１６に流す駆動電流を正弦波とした場合の駆動電流位相と磁石トルク，リラクタンストルクとの関係を示す図である。縦軸５４は回転子を駆動するトルクを，横軸５５は駆動電流位相を示している。番号５１は磁石トルクを，番号５２はリラクタンストルクを，番号５３は磁石トルクとリラクタンストルクの合成トルクをそれぞれ示す。同図に於いて，重要な点は磁石トルク５１を最大にする駆動電流位相を基準とし，リラクタンストルク５２が最大になる駆動電流位相は電気角にして４５度進めた位置にあり，合成トルク５３の最大値は０から４５度迄の間にある事である。図５は正弦波駆動の場合を示しているが，パルス電流を電機子コイル１６に供給して回転子を駆動する場合に於いてもリラクタンストルクを利用するには駆動電流の位相を進める事には変わりはなく，パルス通電の時間をリラクタンストルクを期待出来るタイミングに調整してリラクタンストルクを主として表面磁極部１７の偏倚駆動に利用する。
【００５１】
以上，図１から図５に示した回転電機に於いて，表面磁極部１７を分流磁極部に対して相対偏倚させる事で電機子に流れる磁束量を制御できることを説明し，さらに表面磁極部１７を分流磁極部に対して偏倚させる手段方法を説明した。本実施例はさらにサンプリング制御的に電機子に流れる磁束量を制御するシステムであり，図６に示す回転電機システムのブロック図及び図７に示すタイミングチャートを用いて回転電機システムとしての制御を説明する。図６は磁束量制御を行う回転電機システムのブロック図を示している。図６に於いて，回転電機６１は入力６２，出力６３を有するとし，制御装置６５は回転電機６１の出力６３及び可動磁極部の位置を含む状態信号６４を入力として制御信号６６を介して回転電機６１の電機子を流れる磁束量を制御する。番号６７は電機子コイル１６の駆動回路を示す。回転電機６１が発電機として用いられるのであれば，入力６２は回転力であり，出力６３は発電電力となる。回転電機６１が電動機として用いられるのであれば，入力６２は駆動回路６７から電機子コイル１６に供給される駆動電流であり，出力６３は回転トルク，回転速度となる。
【００５２】
回転電機が電動機として用いられる場合において，弱め界磁制御を行って回転力を最適に制御する電動機システムを説明する。本実施例では磁束量制御を必要とする時のみ所定の周期で磁束量制御と回転駆動制御とを交互に繰り返している。図７は，横軸７ｂは時刻，番号７１は磁束量制御を行う時間帯，番号７２は回転駆動制御を行う時間帯としてサンプリング的に磁束量制御を行うタイムチャートを示している。番号７３で示す時間帯では磁束量制御を行わず，回転駆動制御のみを行っている。制御装置６５は出力６３である回転速度が所定の値より大となり電機子に流れる磁束量を小とする時には番号７１で示す時間帯にアクチュエータ１ｆを介してプッシュロッド１ｅ及び摺動棒１ｈ及びクラッチ板１ｂを左方向に駆動して表面磁極部１７をフリー回転状態とし，同時に駆動回路６７により表面磁極部１７を回転方向２ｃと逆方向（図２に於いて，反時計回り方向）に駆動し，界磁磁石２６と主磁極２８とが対向する周方向角度長を小とさせる。番号７１で示す時間帯の終了と共に駆動回路６７は通常の回転駆動制御に復帰し，アクチュエータ１ｆはプッシュロッド１ｅ及び摺動棒１ｈを右方向に駆動してクラッチ板１ｂを表面磁極部支持体１ａに圧接させる。
【００５３】
回転速度が所定の値より小となり電機子に流れる磁束量を大とする時には制御装置６５が番号７１で示す時間帯にアクチュエータ１ｆを介してプッシュロッド１ｅ及び摺動棒１ｈを左方向に駆動し，クラッチ板１ｂを表面磁極部支持体１ａから離して表面磁極部１７をフリー回転状態とし，同時に駆動回路６７により表面磁極部１７を回転方向２ｃ（図２に於いて，時計回り方向）に駆動し，界磁磁石２６と主磁極２８とが対向する周方向角度長を大とさせる。番号７１で示す時間帯の終了と共に駆動回路６７は通常の回転駆動制御に復帰し，アクチュエータ１ｆはプッシュロッド１ｅ及び摺動棒１ｈを右方向に駆動してクラッチ板１ｂを表面磁極部支持体１ａに圧接させる。図７に於いて，番号７４は回転速度，番号７５は電機子に流れる磁束量を示し，磁束量制御の時間帯７１では回転子には駆動力が伝えられないので回転速度７４が僅かに低下し，磁束量７５が変化させられている事が示されている。
【００５４】
回転電機が発電機として用いられる場合において，弱め界磁制御を行って発電電圧を所定の電圧となるよう制御する定電圧発電機システムを説明する。駆動回路６７により表面磁極部１７を偏倚駆動する場合には発電電力を取り出せないが，本実施例では磁束量制御を必要とする時のみ所定の周期で磁束量制御を行うとし，さらに表面磁極部１７を回転方向に偏倚駆動させる時のみ駆動回路６７から電機子コイル１６に電流を供給するとして発電電力を取り出せる時間を最大にしている。図７に於いて，横軸７ｂは時刻を示し，番号７１は磁束量制御を行う時間帯を示す。番号７３で示す時間帯では磁束量制御を行わず，発電電力の出力のみを行っている。
【００５５】
制御装置６５は出力６３である発電電圧が所定の値より大となり電機子に流れる磁束量を小とする時には番号７１で示す時間帯にアクチュエータ１ｆを介してプッシュロッド１ｅ及び摺動棒１ｈを左方向に駆動し，クラッチ板１ｂを表面磁極部支持体１ａから離して表面磁極部１７をフリー回転状態とし，電機子と表面磁極部１７間に働く反発力により表面磁極部１７を回転方向２ｃと逆方向（図２に於いて，反時計回り方向）に相対偏倚させ，界磁磁石２６と主磁極２８とが対向する周方向角度長を小とさせる。番号７１で示す時間帯の終了と共にアクチュエータ１ｆはプッシュロッド１ｅ及び摺動棒１ｈを右方向に駆動してクラッチ板１ｂを表面磁極部支持体１ａに圧接させる。図７に於いて，番号７６は所定の電圧を，番号７７は発電電圧を示し，番号７８は電機子に流れる磁束量を示す。番号７９は電機子に流れる磁束量７８を減少させる例を示し，駆動回路６７は接続されていないので発電電力の出力は可能であり，発電電圧７７が磁束量７８に比例しては減少している事が示されている。ただし，表面磁極部１７の偏倚位置が主磁極２８の周方向角度長に近い場合は電機子に働く反発力は小さいので駆動回路６７により表面磁極部１７を回転方向２ｃと逆方向に回転偏倚させる。
【００５６】
発電電圧が所定の値より小となり電機子に流れる磁束量を大とする時には制御装置６５が番号７１で示す時間帯にアクチュエータ１ｆによりプッシュロッド１ｅ及び摺動棒１ｈを左方向に駆動し，クラッチ板１ｂを表面磁極部支持体１ａから離して表面磁極部１７をフリー回転状態とし，同時に駆動回路６７により表面磁極部１７を回転方向２ｃ（図２に於いて，時計回り方向）に駆動し，界磁磁石２６と主磁極２８とが対向する周方向角度長を大とさせる。番号７１で示す時間帯の終了と共にアクチュエータ１ｆはプッシュロッド１ｅ及び摺動棒１ｈを右方向に駆動してクラッチ板１ｂを表面磁極部支持体１ａに圧接させ，駆動回路６７を休止させる。図７に於いて，番号７ａで示す時間帯が電機子に流れる磁束量７８を増加させる場合であり，この時間帯は駆動回路６７により電機子コイル１６に駆動電流が供給されるので発電電力の出力は出来ず，発電電圧７７は途切れている事が示されている。
【００５７】
上記に示した磁束量のサンプリング制御に於いて，磁束量制御の時間帯７１の幅は，可動部の質量，すなわち表面磁極部１７及び表面磁極部支持体１ａの質量，さらに偏倚させるアクチュエータの出力，この場合は回転電機で偏倚駆動に利用出来るトルクの大きさ等を考慮して設定する。磁束量制御の時間帯７１の周期は制御の対象である電機子に流れる磁束量の許容精度により決める。実際に磁束量を直接に把握するのは困難であるので電機子コイル１６に誘起される電圧（発電電圧）の目標値からのずれ量の許容精度から時間帯７１の周期を選定する。
【００５８】
本実施例に於いて，磁束量制御のサンプリング周期は時間間隔で設定したが，これは回転子の回転周期を基準にする事も可能である。この場合にサンプリング周期は回転速度の変動によって変るが，回転子上の座標系から考えればこの方が妥当な場合がある。この場合に回転子の特定の周方向位置で磁束量制御を実施するとして，クラッチ板１ｂを制御するアクチュエータ１ｆの代わりにリンク機構を用いて回転子の特定位置でクラッチ板１ｂを表面磁極部支持体１ａから離す構成を採用してもよい。
【００５９】
本実施例では表面磁極部の励磁部に対する位置を保持する位置保持機構としてクラッチ板を含む機構を用いたが，これは一例であってブレーキ機構或いはメカニカルディテントを含む機構等を使用する事も出来る。
【００６０】
一般に磁石を含む磁気回路の一部に可動部分が有る場合には磁束量を大にする方向（磁気回路の磁気抵抗を小にする方向と同じ意味である）に可動部分を動かそうとする磁気力が現れる。本発明に先行して界磁磁束を制御する目的で磁気回路の一部を偏倚させて界磁磁石を短絡し或いは磁路の磁気抵抗を変えようとする提案は多い。しかし，界磁磁石はその回転電機に於いて，磁石トルク或いは電力を発生させる源泉であり，前記偏倚を妨げる磁気的な力は大きく，精密な磁束量制御を困難にしていた。上記に説明した本発明の構成により磁気力は小さく抑制され，精密な磁束量制御が可能となる。
【００６１】
本実施例では界磁磁石が微小間隙を介して主磁極及びバイパス磁極に対向する構成である。主磁路とバイパス磁路の磁気抵抗を厳密に等しく構成するのは困難であり，両者の磁気抵抗に差があるとして界磁磁石から磁性体を介して主磁極及びバイパス磁極に対向させると，界磁磁石からの磁束はそれぞれの磁路の磁気抵抗に応じて前記磁性体内で分流して主磁路を流れる磁束は界磁磁石と主磁極間の対向面積には比例しない事になり，磁束量の制御は困難となる。構造上の制約から界磁磁石から磁性体を介して主磁極及びバイパス磁極に対向させる場合には，磁性体として異方性の強い磁性体或いは磁気飽和で分流できない程度に厚みの薄い磁性体として磁性体内で磁束が分流し難い構成とする。この構成は実質的に界磁磁石の端面で磁束を分流させる点で本発明の趣旨に含まれる。
【実施例２】
【００６２】
本発明による回転電機システムの第二実施例を図８から図１２までを用いて説明する。第二実施例は，ラジアルギャップ構造の回転電機システムであり，分流磁極部を周方向と直交する面内に偏倚制御して電機子を流れる磁束量を制御する。分流磁極部の偏倚制御時に電機子コイルに最小磁気力電流を供給して磁気力を最小とし，最小磁気力電流は運転中に学習的に取得する。図８は回転電機の縦断面図，図９，１０は電機子と回転子との構成を示す断面図，図１１は分流磁極部の偏倚手段を示す縦断面図，図１２は最小磁気力電流を学習的に取得するタイムチャートを示す。
【００６３】
図８はラジアルギャップ構造の回転電機に本発明を適用した実施例を示し，回転軸１１がベアリング１３を介してハウジング１２に回動可能に支持されている。電機子はハウジング１２に固定された円筒状磁気ヨーク１５と，磁性体歯１４と，電機子コイル１６とから構成されている。回転子は回転子支持体８１に固定された表面磁極部と表面磁極部内に配置された分流磁極部を有し，分流磁極部は主磁極８２及びバイパス磁極８３及び非磁性体部８４を有し，分流磁極部は可動磁極部として周方向と直交する面内に偏倚するよう構成されている。分流磁極部を偏倚制御する手段は，回転アーム，スライドプレート８５，連結棒８８，スプリング８６，回転軸１１に設けられたスリット１ｃ，プッシュロッド１ｅ，摺動棒１ｈ，ハウジング１２に固定されたアクチュエータ１ｆ等から構成されている。
【００６４】
図９，１０はそれぞれ図８のＢ−Ｂ’，Ｃ−Ｃ’に沿う電機子及び回転子の断面を示し，相互の関係を説明する為に構成部分の一部に番号を付して示している。電機子の構成は第一の実施例と同じであり，説明は省略する。
【００６５】
図９に於いて，表面磁極部は電機子との対向面に磁性体突極と磁気空隙部とを周方向に交互に有する構造である。磁性体突極は周方向に等間隔に配置され，隣接する磁性体突極を番号９１，９２で，磁気空隙部を番号９３で代表して示している。各磁性体突極の延長部の周方向側面には周方向磁化を持つ界磁磁石を配置し，隣接する磁性体突極の延長部と界磁磁石の間には主磁極，バイパス磁極とが配置されている。界磁磁石は番号９４で示され，隣接ずる界磁磁石９４は周方向の磁化を反転されて隣接する磁性体突極９１，９２を互いに異極に磁化している。界磁磁石９４内に記載した矢印は磁化方向を示す。主磁極は番号８２で，バイパス磁極は番号８３で示され，番号８４は非磁性体部を示している。主磁極８２，バイパス磁極８３，非磁性体部８４が分流磁極部を構成し，分流磁極部は番号９５で示された空間内を偏倚するよう構成されている。図１０は界磁磁石９４が配置されていない部分であり，図８に示す位置では分流磁極部が現れていない部分の断面を示している。
【００６６】
図９に於いて，界磁磁石９４の一方の磁極は磁性体突極９１延長部の側面に配置されると共に他方の磁極は主磁極８２及びバイパス磁極８３と微小間隙を介して対向している。さらに主磁極８２は磁性体突極９２延長部の側面に微小間隙を介して対向し，バイパス磁極８３は磁性体突極９１延長部と常に間隙を介して対向するよう構成されている。界磁磁石９４と主磁極８２及びバイパス磁極８３間の間隙に於いて界磁磁石９４からの磁束は層流状に流れ，主磁極８２，バイパス磁極８３に流入する磁束量は界磁磁石９４と主磁極８２との対向面積，界磁磁石９４とバイパス磁極８３との対向面積にそれぞれ比例する。主磁極８２に流入した磁束は磁性体突極９２延長部，磁性体突極９２，磁性体歯１４，磁性体突極９１，磁性体突極９１延長部を介して界磁磁石９４に環流して主磁路を形成し，バイパス磁極８３に流入した磁束は磁性体突極９１延長部を介して界磁磁石９４に環流してバイパス磁路を形成している。
【００６７】
主磁路及びバイパス磁路に含まれる界磁磁石は一つであるので両磁路の磁気抵抗を等しく設定することが最小磁気力条件であり，バイパス磁極８３と磁性体突極９１延長部間の間隙を磁気抵抗調整部分として対向面積及び間隙長を静止時に於いて両磁路の磁気抵抗が等しくなるよう設定している。分流磁極部の偏倚に際し，界磁磁石９４は主磁極８２及びバイパス磁極８３と常に対向し，それぞれとの対向面積の和は一定であり，主磁路とバイパス磁路の磁気抵抗はほぼ等しく設定されるので界磁磁石９４から両磁路に流入する磁束量の和は一定であり，分流磁極部の偏倚に抗する磁気力は小に抑制される。
【００６８】
励磁部を偏倚制御する構成及び動作は図８，図１１を用いて説明する。図８及び図１１に示されるように分流磁極部は回転子支持体８１に回転アーム１１１，１１２により支持されている。回転アーム１１１，１１２はピン１１３により回転子支持体８１に，ピン１１４により分流磁極部に回動可能に支持され，分流磁極部は周方向と直交する面内で回転軸１１と平行に偏倚可能に構成されている。更に分流磁極部は連結棒８８によりスライドプレート８５に連結されている。連結棒８８はピン１１５により分流磁極部に，ピン１１６によりスライドプレート８５に回動可能に結合され，スライドプレート８５の軸方向への偏倚により分流磁極部が周方向と直交する面内で偏倚させられる構成である。
【００６９】
スライドプレート８５の３つの突部は回転軸１１に設けた３個のスリット１ｃを介して摺動棒１ｈに接し，摺動棒１ｈは回転軸１１の中空部内を軸方向に摺動可能に構成されてアクチュエータ１ｆのプッシュロッド１ｅと接している。スプリング８６は回転子支持体８１とスライドプレート８５との間に配置されてスライドプレート８５を右方向に付勢し，アクチュエータ１ｆはプッシュロッド１ｅを軸方向左右に駆動させる構成であるのでスライドプレート８５及び分流磁極部はアクチュエータ１ｆにより軸方向に偏倚させられる。アクチュエータ１ｆはステップモータとネジ機構で構成してステップモータを回転駆動する事でプッシュロッド１ｅを軸方向左右に駆動させ，ステップモータを駆動させない場合はプッシュロッド１ｅの軸方向位置を保持する構成としている。
【００７０】
図１１（ａ），１１（ｂ）は分流磁極部を含む回転子の一部の縦断面を拡大して示した図であり，図１１（ａ）は分流磁極部が径方向外方に偏倚して界磁磁石９４が主磁極８２に最大に面積で対向し，主磁路に流れる磁束量が最大となる状態を示している。この場合，アクチュエータ１ｆはスライドプレート８５を軸と平行に左方向に偏倚させ，分流磁極部は軸と平行に左方向に偏倚されると共に径方向外方に偏倚させられている。図１１（ｂ）は分流磁極部が径方向内方に偏倚して界磁磁石９４が主磁極８２に最小の面積で対向し，主磁路に流れる磁束量が最小となる状態を示している。この場合，アクチュエータ１ｆはスライドプレート８５を軸と平行に右方向に偏倚させ，分流磁極部は軸と平行に右方向に偏倚されると共に径方向内方に偏倚させられている。
【００７１】
分流磁極部は図１１（ａ）の場合に図１０に於ける番号９５で示す空間内に現れないが，図１１（ｂ）の場合には現れる。主磁極８２とバイパス磁極８３の組み合わせは図１１（ｂ）に示されるように径方向及び軸方向に偏倚する。本発明の趣旨により界磁磁石９４は常に主磁極８２，バイパス磁極８３それぞれと対向する面積の和を一定に保つ必要があるので界磁磁石９４は図１１（ａ）の主磁極８２の右端及び図１１（ｂ）の主磁極８２の左端の範囲内に配置されている。分流磁極部を支持する回転アーム１１１，１１２及びピン１１３，１１４が配置され，分流磁極部の偏倚に従って回転アーム１１１，１１２及びピン１１４も偏倚する。回転アーム１１１，１１２及びピン１１３，１１４が占有するスペースは分流磁極部の内径側及び非磁性体部８４に配置されている。
【００７２】
主磁路とバイパス磁路の磁気抵抗を最小磁気力条件に設定する事で両磁路間の磁束漏洩を小さく抑制し，前記偏倚を妨げる磁気力を小さく抑制する事が出来るが，磁路の磁気抵抗を変動させる要因は多い。すなわち，量産段階で部品寸法は設定公差内でばらついて各磁路の磁気抵抗を変動させ，磁路間の磁束漏洩が無視できない場合は可動磁極部の偏倚位置が各磁路の磁気抵抗に影響し，磁性体の透磁率は温度の影響を受けやすいので各磁路の磁気抵抗は変化する。更にまた電機子コイルに電流が流れると主磁路の磁気抵抗は実効的に変動する。
【００７３】
本実施例では以下のように回転電機の動作中に磁束量制御を間歇的に行っている。回転電機を電動機として電機子コイルに回転子を加速する方向の電流を供給する場合は界磁磁束を引き込み，電機子に流れる磁束量を大としようとし，回転子を減速駆動する場合はその逆になる。したがって，回転子を加速或いは減速駆動する場合は主磁路の磁気抵抗が実効的にそれぞれ小，大となる。主磁路とバイパス磁路の磁気抵抗を互いに等しくするよう電機子コイルに供給する電流を最小磁気力電流とし，可動磁極部の偏倚制御時に電機子コイルに最小磁気力電流を供給して回転子を加速或いは減速方向に駆動して実効的に主磁路及びバイパス磁路の磁気抵抗を等しくさせ，同時にアクチュエータを駆動する。さらに最小磁気力電流は回転電機の運転中に学習的に取得する構成として種々の原因による主磁路の磁気抵抗変化に適応させている。
【００７４】
最小磁気力電流を学習的に取得する構成及び手順を図８及び図１２を用いて説明する。図８に於いて，番号８９はロードセルを示し，プッシュロッド１ｅに加えられる力を検出する。主磁路及びバイパス磁路の磁気抵抗に差があると，界磁磁石９４が磁気抵抗の小さい側の磁極となる主磁極８２或いはバイパス磁極８３との対向面積を増す方向に分流磁極部は偏倚する磁気力を受ける。アクチュエータ１ｆは軸方向位置を保持しようとするので摺動棒１ｈ，プッシュロッド１ｅ内の圧力は変化し，ロードセル８９により前記磁気力を検出する事が出来る。
【００７５】
図１２は間歇的に磁束量を制御するタイムチャートであり，横軸１２６は時間を示す。番号１２１は学習区間を示し，番号１２２は磁束量制御区間を示している。それ以外の時間帯では回転電機が電動機であれば回転駆動を，発電機であれば発電電力の取り出しを行う。学習区間１２１では電機子コイル１６に供給する電流の条件を変えて回転子を駆動し，その期間に於けるロードセル８９の出力を監視する。ロードセル８９の出力が小になる電流条件が主磁路及びバイパス磁路の磁気抵抗を実効的に互いに等しくする最小磁気力電流であり，この最小磁気力電流に係わるパラメータを制御装置に記憶或いは設定し直す。
【００７６】
番号１２２は磁束量を制御する区間であり，前記の学習過程で得られた最小磁気力電流を電機子コイル１６に供給し，同時にアクチュエータ１ｆを制御して分流磁極部を軸方向に偏倚させる。主磁路及びバイパス磁路の磁気抵抗は実効的にほぼ等しくされるのでアクチュエータ１ｆによる上記制御は円滑に行われる。この場合，回転子は短時間であるが駆動されるので回転速度１２３は変化する。磁束量の制御区間１２２では回転子が減速され，僅かではあるが，減速されている状態が回転速度１２３に示されている。番号１２４は磁束量を示し，学習区間１２１ではアクチュエータ１ｆは軸方向位置を保持しているので磁束量１２４は変化しないが，磁束量制御区間１２２では磁束量１２４が変化する様子が示されている。
【００７７】
番号１２５は回転電機が発電機である場合に於ける発電電圧を示している。学習区間１２１及び磁束量制御区間１２２では発電電力を取り出せないので発電電圧１２５が途切れている状態を示し，磁束量制御区間１２２前後では発電電圧１２５が変化している状態が示されている。本実施例では静止時に於いてバイパス磁路の磁気抵抗を主磁路の磁気抵抗と等しくなるように設定されているので磁束量制御の際に電機子コイル１６に供給する最小磁気力電流が回転子を加速或いは減速する程度は小さく抑えられる。
【００７８】
本実施例では学習区間１２１を設定して最小磁気力電流を取得したが，特に学習区間１２１を設定しない学習方法も可能である。例えば，回転電機が電動機である場合には回転子を駆動する為に電機子に供給される電流とロードセル８９出力との関係を常時監視し，最もロードセル８９出力が小になる電流を最小磁気力電流とする。
【００７９】
磁束量を制御して出力を最適に制御する第二の実施例の回転電機システムを，図６のブロック図を用いて説明する。回転電機が電動機として用いられる場合において，弱め界磁制御を行って回転力を最適に制御する電動機システムを説明する。制御装置６５は出力６３である回転速度が所定の値より大となり電機子に流れる磁束量を小とする時には磁束量制御区間１２２の時間帯に電機子コイル１６に駆動回路６７を介して最小磁気力電流を電機子コイル１６に供給して主磁路とバイパス磁路の磁気抵抗を最小磁気力条件に実効的に等しくし，同時に制御信号６６によりアクチュエータ１ｆを駆動して分流磁極部を右方向に偏倚させて界磁磁石９４と主磁極８２とが対向する面積を小にする。偏倚制御後はアクチュエータ１ｆを停止させて分流磁極部の位置を保持する。回転速度が所定の値より小となり電機子に流れる磁束量を大とする時には磁束量制御区間１２２の時間帯に電機子コイル１６に駆動回路６７を介して最小磁気力電流を電機子コイル１６に供給し，同時に制御信号６６によりアクチュエータ１ｆを駆動して分流磁極部を左方向に偏倚させて界磁磁石９４と主磁極８２とが対向する面積を大にする。偏倚制御後はアクチュエータ１ｆを停止させて分流磁極部の位置を保持する。
【００８０】
回転電機が発電機として用いられる場合において，弱め界磁制御を行って発電電圧を所定の電圧となるよう制御する定電圧発電機システムを説明する。制御装置６５は出力６３である発電電圧が所定の値より大となり電機子に流れる磁束量を小とする時には磁束量制御区間１２２の時間帯に電機子コイル１６に駆動回路６７を介して最小磁気力電流を電機子コイル１６に供給し，同時に制御信号６６によりアクチュエータ１ｆを駆動して分流磁極部を右方向に偏倚させて界磁磁石９４と主磁極８２とが対向する面積を小にする。偏倚制御後はアクチュエータ１ｆを停止させて分流磁極部の位置を保持する。発電電圧が所定の値より小となり電機子に流れる磁束量を大とする時には磁束量制御区間１２２の時間帯に電機子コイル１６に駆動回路６７を介して最小磁気力電流を電機子コイル１６に供給し，同時に制御信号６６によりアクチュエータ１ｆを駆動して分流磁極部を左方向に偏倚させて界磁磁石９４と主磁極８２とが対向する面積を大にする。偏倚制御後はアクチュエータ１ｆを停止させて分流磁極部の位置を保持する。
【００８１】
本実施例では分流磁極部の偏倚に際して電機子コイルに最小磁気力電流を供給して分流磁極部の偏倚を妨げる磁気力を最小に調整したが，さらに磁束量制御に際して，電機子コイルに予め定めた電流を供給して分流磁極部の前記偏倚をアシストさせる方向の磁気力を発生させ，偏倚に必要な力を小とする手段，方法を採用する事も出来る。回転子を加速，減速方向に駆動する電流を電機子コイルに供給すると，主磁路の磁気抵抗は実効的にそれぞれ小，大となる。それに伴い主磁路の磁気抵抗がバイパス磁路の磁気抵抗より小或いは大になると分流磁極部は界磁磁石と主磁極との対向面積をそれぞれ大，小とする方向の磁気力を受ける。電機子を流れる磁束量を増す場合に主磁極と界磁磁石との対向面積を増す方向に偏倚制御手段を駆動すると共に回転子を加速する方向に最小磁気力電流から所定量ずらした電流を電機子コイルに供給し，電機子を流れる磁束量を減じる場合には主磁極と界磁磁石との対向面積を減じる方向に偏倚制御手段を駆動すると共に回転子を減速する方向に最小磁気力電流から所定量ずらした電流を電機子コイルに供給して電機子を流れる磁束量を制御する。電機子コイルに流す電流により偏倚制御手段をアシストする磁気力を発生させる構成であって偏倚制御手段に過大なアクチュエータを要する事無く界磁制御を容易とする。
【００８２】
本実施例に於いては分流磁極部を軸方向及び径方向で構成する面内で偏倚させたが，径方向に偏倚させる構成も可能である。また，本実施例は電機子と回転子とが径方向に対向する構成であるが，電機子と回転子とを軸方向に対向させ，分流磁極部を軸方向に偏倚させる構成も可能であり，回転電機システムの仕様に沿って最適な構成とすることが出来る。
【実施例３】
【００８３】
本発明による第三実施例を図１３を用いて説明する。第三実施例は第一実施例の回転電機システムをハイブリッドカーの発電機兼電動機として用いた回転電機システムである。同図に於いて，番号１３１は第一の実施例で示した回転電機を示し，回転電機１３１はハイブリッドカーのエンジン１３２とベルトで回転力を伝達するよう結合された回転軸１３９を持ち，回転軸１３９の回転力はトランスミッション１３３を介して駆動軸１３ａに伝えられる。制御装置１３４は上位制御装置からの指令１３ｂを受け，駆動回路１３５を介して回転電機１３１を電動機として駆動し，磁束量制御回路１３６を介して回転電機装置１３１の磁束量を制御する。更に制御装置１３４は上位制御装置からの指令１３ｂを受け，電機子コイル１６の引き出し線１３ｃに現れる発電電力を整流回路１３７を介して整流し，バッテリー１３８を充電する構成としている。
【００８４】
制御装置１３４は指令１３ｂの指示により駆動回路１３５を介して回転電機１３１を電動機として駆動し，エンジン１３２の回転をアシスト或いは単独で回転軸１３９を回転駆動させ，トランスミッション１３３，駆動軸１３ａを介してハイブリッドカーの駆動力に寄与する。低回転速度域で磁石トルクを強化する必要がある場合は制御装置１３４が番号７１で示す時間帯にアクチュエータ１ｆを介してプッシュロッド１ｅ及び摺動棒１ｈを左方向に駆動し，クラッチ板１ｂを表面磁極部支持体１ａから離して表面磁極部１７をフリー回転状態とし，同時に駆動回路１３５により表面磁極部１７を回転方向２ｃ（図２に於いて，時計回り方向）に駆動し，界磁磁石２６と主磁極２８とが対向する周方向角度長を大とさせる。番号７１で示す時間帯の終了と共に駆動回路１３５は通常の回転駆動動作に復帰し，アクチュエータ１ｆはプッシュロッド１ｅ及び摺動棒１ｈを右方向に駆動してクラッチ板１ｂを表面磁極部支持体１ａに圧接させる。
【００８５】
高回転速度域で弱め界磁とする場合には制御装置１３４が番号７１で示す時間帯にアクチュエータ１ｆを介してプッシュロッド１ｅ及び摺動棒１ｈ及びクラッチ板１ｂを左方向に駆動して表面磁極部１７をフリー回転状態とし，同時に駆動回路１３５により表面磁極部１７を回転方向２ｃと逆方向（図２に於いて，反時計回り方向）に駆動し，界磁磁石２６と主磁極２８とが対向する周方向角度長を小とさせる。番号７１で示す時間帯の終了と共に駆動回路１３５は通常の回転駆動動作に復帰し，アクチュエータ１ｆはプッシュロッド１ｅ及び摺動棒１ｈを右方向に駆動してクラッチ板１ｂを表面磁極部支持体１ａに圧接させる。
【００８６】
エンジン１３２の回転力のみでハイブリッドカーを駆動できる時は，指令１３ｂにより電機子コイル１６の引き出し線１３ｃに現れる発電電力を整流回路１３７を介して直流に変え，バッテリー１３８を充電させる。その場合に制御装置１３４は番号７１で示す時間帯にアクチュエータ１ｆを介してプッシュロッド１ｅ及び摺動棒１ｈ及びクラッチ板１ｂを左方向に駆動して表面磁極部１７をフリー回転状態とし，同時に表面磁極部１７をバッテリー１３８を充電する最適な電圧になるよう磁束量制御回路１３６，駆動回路１３５を介して表面磁極部１７を偏倚制御する。バッテリー１３８を充電する場合に回転電機システムを定電圧発電機とする事で発電電圧を変換するコンバータは不要である。また，更にバッテリー１３８が電圧の種類の異なる複数種のバッテリーで構成される場合でも切り替え回路を付け加えてそれぞれのバッテリーに最適の発電電圧に制御する事で高価なコンバータを不要に出来る。
【００８７】
本実施例はまたハイブリッドカーの制動時に於けるエネルギー回収システムとしても有効に機能する。指令１３ｂを通じて回生制動の指示を受けると，制御装置１３４は番号７１で示す時間帯にアクチュエータ１ｆを介してプッシュロッド１ｅ及び摺動棒１ｈ及びクラッチ板１ｂを左方向に駆動して表面磁極部１７をフリー回転状態とし，同時に磁束量制御回路１３６，駆動回路１３５を介して電機子に流れる磁束量を大とするよう表面磁極部１７を偏倚させて主磁極２８と界磁磁石２６とが対向する面積を大とし，発電電力でバッテリー１３８に充電させる。複数のバッテリー１３８を有する場合には最も充電余力のあるバッテリー１３８の充電電圧に合わせた発電電圧が得られるよう磁束量制御回路１３６，駆動回路１３５を介して表面磁極部１７を偏倚制御して電機子に流れる磁束量を制御する。回転電機１３１は駆動用電動機として用いられる体格であるので回生制動用の発電機として十分な制動力を発生できる。
【００８８】
本実施例は本発明をハイブリッドカーの発電機兼電動機として用いた回転電機システムであるが，電気自動車に於ける回転電機システムとする事も当然に可能である。その場合には上記実施例に於いてハイブリッドカーのエンジン１３２を取り除き，本発明による回転電機システムのみで駆動及び制動時に於けるエネルギー回収システムを構成する。
【００８９】
以上，本発明の回転電機システムについて，実施例を挙げて説明した。これらの実施例は本発明の趣旨，目的を実現する例を示したのであって本発明の範囲を限定するわけでは無い。上記実施例を組み合わせる，或いは実施例の一部を組み合わせて本発明の趣旨，目的を実現するシステムを完成させる等が可能な事は勿論である。例えば，上記の実施例に於いて電機子は磁性体歯を有する構造が示されたが，従来のアキシャルギャップ構成の回転電機では磁性体歯を配置しない構造例も存在する。また，ラジアルギャップ構成に於いても電機子構成を円筒状磁気ヨーク上に印刷配線された電機子コイルを配置して磁性体歯を持たない例も存在する。本発明は磁性体歯の有無に拘わらず適用可能であり，回転電機システムの仕様に沿って最適の電気子構成を採用する事が出来る。
【産業上の利用可能性】
【００９０】
本発明による回転電機システムは従来の磁石トルク，リラクタンストルクを利用する回転電機の磁石励磁近傍の構成を変えて電機子に流れる磁束量を容易に制御可能とした。同回転電機システムは従来の回転電機と同様に高出力の電動機として利用できる事に加えて実用出来る回転速度範囲を拡大し，更に発電機能を改善し，またその発電機能を制御できる。移動体の発電機兼電動機システムに用いて，駆動用電動機としては従来以上の回転速度範囲での使用が期待できる他に制動時のエネルギー回収を可能として総合的なエネルギー消費量を改善できる。更に定電圧発電機システムとして広い回転速度範囲で発電電圧を一定に制御できるので定電圧制御回路を不要とし，更に電圧の異なる複数種のバッテリー充電にもコンバータを不要に出来，全体のシステムコストを低減出来る。
【図面の簡単な説明】
【００９１】
【図１】第一の実施例による回転電機の縦断面図である。
【図２】図１に示された回転電機の電機子と回転子とを示す断面図である。
【図３】図１に示された回転電機の回転子構成を示す分解斜視図である。
【図４】図１に示された回転電機の表面磁極部と回転子との係合部を示す斜視図である。
【図５】回転電機の磁石トルク及びリラクタンストルクと駆動電流位相の関係を示す図である。
【図６】弱め界磁制御を行う回転電機システムのブロック図である。
【図７】サンプリング的に表面磁極部の偏倚制御を行って磁束量を制御するタイミングチャートである。
【図８】第二の実施例による回転電機の縦断面図である。
【図９】図８に示された回転電機の電機子と回転子とを示す断面図である。
【図１０】図８に示された回転電機の電機子と回転子とを示す断面図である。
【図１１】図８に示された回転電機の分流磁極部を偏倚させる構成を示し，（ａ）は分流磁極部が最外周に偏倚された場合，（ｂ）は分流磁極部が最内周に偏倚された縦断面図をそれぞれ示す。
【図１２】最小磁気力電流を学習的に取得するタイムチャートを示す図である。
【図１３】第三の実施例による回転電機システムのブロック図である。
【符号の説明】
【００９２】
１１・・・回転軸，                      １２・・・ハウジング，
１３・・・ベアリング，                  １４・・・磁性体歯，
１５・・・円筒状磁気ヨーク，            １６・・・電機子コイル，
１７・・・表面磁極部，                  １８・・・バイパス磁極延長部，
１９・・・回転子支持体，                １ａ・・・表面磁極部支持体，
１ｂ・・・クラッチ円板，                １ｃ・・・スリット部，
１ｄ・・・中空部，                      １ｅ・・・プッシュロッド，
１ｆ・・・アクチュエータ，              １ｇ・・・スプリング，
１ｈ・・・摺動棒，                      １ｊ・・・突部，
１ｋ・・・ベアリング，                  １ｍ・・・凹部，
１ｎ・・・偏倚規制突部，                １ｐ・・・環状磁気コア，
１ｒ・・・円筒状磁気コア
２１，２２・・磁性体突極，              ２３・・・磁気空隙部，
２４，２５・・磁性体突極延長部，        ２６，２７・・界磁磁石，
２８，２９・・主磁極，                  ２ａ，２ｂ・・バイパス磁極，
２ｃ・・・回転方向，                    ２ｄ・・・可飽和磁性体結合部
３１・・・回転子
５１・・・磁石トルク，                  ５２・・・リラクタンストルク，
５３・・・合成トルク，                  ５４・・・縦軸，
５５・・・横軸
６１・・・回転電機装置，                ６２・・・入力，
６３・・・出力，                        ６４・・・状態信号，
６５・・・制御装置，                    ６６・・・制御信号，
６７・・・駆動回路
７１・・・磁束量制御を行う時間帯，      ７２・・・回転駆動制御を行う時間帯，
７３・・・回転駆動制御のみを行う時間帯，
７４・・・回転速度，                    ７５・・・界磁磁束量，
７６・・・所定の電圧，                  ７７・・・発電電圧，
７８・・・界磁磁束量，
７９・・・界磁磁束量７８を減少させる場合，
７ａ・・・界磁磁束量７８を増加させる場合
８１・・・回転子支持体，                ８２・・・主磁極，
８３・・・バイパス磁極，                ８４・・・非磁性体部，
８５・・・スライドプレート，            ８６・・・スプリング，
８７・・・突部，                        ８８・・・連結棒
９１，９２・・磁性体突極，              ９３・・・磁気空隙部，
９４・・・界磁磁石，                    ９５・・・分流磁極部が偏倚する空間
１１１，１１２・・回転アーム，          １１３，１１４，１１５，１１６・・ピン
１２１・・・学習区間，                  １２２・・・磁束量制御区間，
１２３・・・回転速度，                  １２４・・・界磁磁束量，
１２５・・・発電電圧，                  １２６・・・時間
１３１・・・第一の実施例で示した回転電機，
１３２・・・ハイブリッドカーのエンジン，
１３３・・・トランスミッション，        １３４・・・制御装置，
１３５・・・駆動回路，                  １３６・・・磁束量制御回路，
１３７・・・整流回路，                  １３８・・・バッテリー，
１３９・・・回転軸，                    １３ａ・・・駆動軸，
１３ｂ・・・上位制御装置からの指令，    １３ｃ・・・電機子コイルの引き出し線
【図１】
2009303361.tif 000003
【図２】
2009303361.tif 000004
【図３】
2009303361.tif 000005
【図４】
2009303361.tif 000006
【図５】
2009303361.tif 000007
【図６】
2009303361.tif 000008
【図７】
2009303361.tif 000009
【図８】
2009303361.tif 000010
【図９】
2009303361.tif 000011
【図１０】
2009303361.tif 000012
【図１１】
2009303361.tif 000013
【図１２】
2009303361.tif 000014
【図１３】
2009303361.tif 000015